(57)【要約】【課題】  本発明の目的は、浴室の温度又は湿度を上昇させるサウナ手段を作動させて使用者の発汗を促すサウナ運転を実行する場合において、使用者に退屈な思いをさせることのないサウナ装置を実現する点にある。【解決手段】  浴室１の温度又は湿度を上昇させるサウナ手段Ｍ１を備え、サウナ手段Ｍ１を作動させて使用者の発汗を促すサウナ運転を実行するサウナ装置において、使用者が認識可能な状態で、使用者に課する課題を出力可能な出力部２１を備え、サウナ運転の実行に連動して、使用者に対して、出力部２１により課題を出力する課題処理を実行する。【選択図】        図２
2006158628.tif 000002
【特許請求の範囲】
【請求項１】
浴室の温度又は湿度を上昇させるサウナ手段を備え、前記サウナ手段を作動させて使用者の発汗を促すサウナ運転を実行するサウナ装置であって、
前記使用者が認識可能な状態で、前記使用者に課する課題を出力可能な出力部を備え、
前記サウナ運転の実行に連動して、前記使用者に対して、前記出力部により前記課題を出力する課題処理を実行するサウナ装置。
【請求項２】
前記課題処理における前記課題を出力するタイミングに応じて、前記サウナ運転の状態を変化させるように構成されている請求項１に記載のサウナ装置。
【請求項３】
前記課題が、前記使用者に回答を要求する設問であり、
前記使用者が前記設問に対する回答を入力可能な入力部を備え、
前記課題処理において、前記入力部に入力された前記回答が正解か不正解かを判定し、
前記課題処理における正解か不正解かの判定結果に応じて、前記サウナ運転の状態を変化させるように構成されている請求項１又は２に記載のサウナ装置。
【請求項４】
前記課題が、前記使用者に回答を要求する設問であり、
前記使用者が前記設問に対する回答を入力可能な入力部を備え、
前記課題処理において、前記出力部に前記設問を出力してから前記入力部に前記回答が入力されるまでの回答時間を計測し、
前記課題処理における前記回答時間に応じて、前記サウナ運転の状態を変化させるように構成されている請求項１〜３の何れか一項に記載のサウナ装置。
【請求項５】
前記サウナ手段として、温水のミストである温ミストを前記浴室に吹出すミスト手段を備え、
前記サウナ運転の状態として、前記温ミストの吹出量又は前記温ミストの吹出方向を変化させるように構成されている請求項１〜４の何れか一項に記載のサウナ装置。
【請求項６】
前記サウナ手段として、温風を吹出す送風手段を備え、
前記サウナ運転の状態として、前記温風の吹出量又は前記温風の吹出方向を調整可能に構成されている請求項１〜５の何れか一項に記載のサウナ装置。
【発明の詳細な説明】
【技術分野】
【０００１】
本発明は、浴室の温度又は湿度を上昇させるサウナ手段を備え、前記サウナ手段を作動させて使用者の発汗を促すサウナ運転を実行するサウナ装置に関する。
【背景技術】
【０００２】
上記のような家庭等の浴室に設置されるサウナ装置として、浴室の温度又は湿度を上昇させるサウナ手段として、温水のミストである温ミストを浴室に吹出すミストノズル等からなるミスト手段を備えたミストサウナ装置が知られている（例えば、特許文献１を参照。）。
【０００３】
そして、ミストサウナ装置は、上記ミスト手段を作動させて、使用者の発汗を促す４０℃〜５０℃程度に加熱された温水からなる温ミストを浴室に吹出すサウナ運転を実行することで、浴室を高温多湿なサウナ空間とすることができる。
【０００４】
更に、かかるミストサウナ装置は、浴室の温度を一層上昇させるために、上記サウナ手段として、例えば浴室暖房乾燥機として設置され、浴室に４０℃程度の比較的高温の温風を吹出す送風手段を備える場合がある。そして、このように温ミストが吹出される浴室に対して、温風を吹出すことで、浴室を一層高温多湿なサウナ空間とすることができる。
そして、このようにサウナ空間とされた浴室において、使用者は良好な発汗作用を得ることができ、美容と健康の増進を図ることができる。
【０００５】
【特許文献１】特開２００１−２７６１７０号公報
【発明の開示】
【発明が解決しようとする課題】
【０００６】
上記のようなサウナ装置によるサウナ運転は、通常１０分程度行われるが、その間、使用者は、何らすることがなく、更に、サウナ空間の状態も何ら変化しないので、退屈な思いをする場合がある。
【０００７】
本発明は、上記の課題に鑑みてなされたものであり、その目的は、浴室の温度又は湿度を上昇させるサウナ手段を作動させて使用者の発汗を促すサウナ運転を実行する場合において、使用者に退屈な思いをさせることのないサウナ装置を実現する点にある。
【課題を解決するための手段】
【０００８】
上記目的を達成するための本発明に係るサウナ装置は、浴室の温度又は湿度を上昇させるサウナ手段を備え、前記サウナ手段を作動させて使用者の発汗を促すサウナ運転を実行するサウナ装置であって、その第１特徴構成は、前記使用者が認識可能な状態で、前記使用者に課する課題を出力可能な出力部を備え、
前記サウナ運転の実行に連動して、前記使用者に対して、前記出力部により前記課題を出力する課題処理を実行する点にある。
【０００９】
上記第１特徴構成によれば、サウナ手段を作動させて浴室の温度又は湿度を上昇させ使用者の発汗を促すサウナ運転を実行するにあたり、そのサウナ運転の実行に連動して、その浴室に居る使用者に対して、上記出力部により、予め準備した上記課題を表示又は音声案内等により出力する課題処理を実行することで、使用者はその課せられた課題に対して所定の動作を行って退屈な思いを凌ぎながら、快適にサウナ空間に居ることができる。
【００１０】
また、かかる第１特徴構成において、サウナ運転の実行開始に連動させて、課題処理の実行を開始し、サウナ運転の実行終了に連動させて、課題処理の実行を終了することで、使用者は、煩雑な操作を必要とせずに、サウナ運転に連動させて課題処理を実行させることができる。
【００１１】
本発明に係るサウナ装置の第２特徴構成は、前記課題処理における前記課題を出力するタイミングに応じて、前記サウナ運転の状態を変化させるように構成されている点にある。
【００１２】
上記第２特徴構成によれば、上記課題を出力するタイミングに応じて、サウナ運転において吹出される温ミストや温風の吹出量若しくは吹出方向等のサウナ運転の状態を変化させることで、サウナ運転によりサウナ空間とされる浴室の状態が、上記課題を出力するタイミングに応じて変化することになり、使用者はその変化により、課題が出力されるタイミングや、回答すべき制限時間等を、サウナ運転の状態変化により体で認識することができ、更には、そのサウナ運転の状態変化を楽しんで、退屈な思いを凌ぐことができる。
【００１３】
本発明に係るサウナ装置の第３特徴構成は、前記課題が、前記使用者に回答を要求する設問であり、
前記使用者が前記設問に対する回答を入力可能な入力部を備え、
前記課題処理において、前記入力部に入力された前記回答が正解か不正解かを判定し、
前記課題処理における正解か不正解かの判定結果に応じて、前記サウナ運転の状態を変化させるように構成されている点にある。
【００１４】
上記第３特徴構成によれば、課題処理において、入力部課題としての上記設問を出力し、使用者がその設問に対して入力部に入力した回答が正解か不正解かに応じて、サウナ運転において吹出される温ミストや温風の吹出量若しくは吹出方向等のサウナ運転の状態を変化させることで、サウナ運転によりサウナ空間とされる浴室の状態が、上記使用者の回答が正解か不正解かによって変化することになり、使用者はその変化により、自分の回答が正解か不正解かを体で認識することができ、更には、そのサウナ運転の状態変化を楽しんで、退屈な思いを凌ぐことができる。
【００１５】
また、かかる第３特徴構成において、課題処理における設問の出力数に対する正解を判定した率である正解率に応じて、サウナ運転の状態を変化させることで、サウナ運転によりサウナ空間とされる浴室の状態が、上記使用者の回答の正解率よって変化することになり、使用者はその変化により、自分の回答の正解率を体で認識することができる。
【００１６】
本発明に係るサウナ装置の第４特徴構成は、前記課題が、前記使用者に回答を要求する設問であり、
前記使用者が前記設問に対する回答を入力可能な入力部を備え、
前記課題処理において、前記出力部に前記設問を出力してから前記入力部に前記回答が入力されるまでの回答時間を計測し、
前記課題処理における前記回答時間に応じて、前記サウナ運転の状態を変化させるように構成されている点にある。
【００１７】
上記第４特徴構成によれば、課題処理において、課題としての上記設問を出力してから使用者が入力部に回答を入力するまでの回答時間応じて、サウナ運転において吹出される温ミストや温風の吹出量若しくは吹出方向等のサウナ運転の状態を変化させることで、サウナ運転によりサウナ空間とされる浴室の状態が、上記回答時間によって変化することになり、使用者はその変化により、上記回答時間の良否を体で認識することができ、更には、そのサウナ運転の状態変化を楽しんで、退屈な思いを凌ぐことができる。
【００１８】
本発明に係るサウナ装置の第５特徴構成は、前記サウナ手段として、温水のミストである温ミストを前記浴室に吹出すミスト手段を備え、
前記サウナ運転の状態として、前記温ミストの吹出量又は前記温ミストの吹出方向を変化させるように構成されている点にある。
【００１９】
上記第５特徴構成によれば、本発明に係るサウナ装置を、サウナ手段としての上記ミスト手段を備えるミストサウナ装置とすることができ、この場合には、上述した設問時間、設問を出力するタイミング、正解か不正解かの判定結果、回答時間等に応じて変化するサウナ運転の状態を、使用者がその変化を体で認識することができる上記温ミストの吹出量又はその吹出方向とすることができる。
【００２０】
本発明に係るサウナ装置の第６特徴構成は、前記サウナ手段として、温風を吹出す送風手段を備え、
前記サウナ運転の状態として、前記温風の吹出量又は前記温風の吹出方向を調整可能に構成されている点にある。
【００２１】
上記第６特徴構成によれば、本発明に係るサウナ装置を、サウナ手段としての上記送風手段を備えるサウナ装置とすることができ、この場合には、上述した設問時間、設問を出力するタイミング、正解か不正解かの判定結果、回答時間等に応じて変化するサウナ運転の状態を、使用者がその変化を体で認識することができる上記温風の吹出量又はその吹出方向とすることができる。
【００２２】
また、サウナ手段としては、上記ミスト手段と上記送風手段の両方を備え、浴室を一層高温多湿なサウナ空間とするように構成しても構わない。
【発明を実施するための最良の形態】
【００２３】
図１は、本発明に係るサウナ装置５０を設置した浴室１の状態を示している。
浴室１には、浴槽６と洗場７があり、浴槽６に湯を張り、洗場７において、体を洗うことができる。
【００２４】
浴室１の側壁の上方には、浴室１の換気を行う換気扇４が備えられており、換気扇４は後述するサウナ装置５０に備えられたコンピュータからなる制御装置４０（制御手段の一例）によって制御される。
又、浴室１の側壁に、サウナ装置５０の制御装置４０により作動が制御される浴室ユニット２０が設けられており、この浴室ユニット２０は、制御装置４０に運転指示を与えるリモコンとしても機能する。また、この浴室ユニット２０には、使用者６０が認識可能な状態で情報を表示する表示部２１、使用者６０が操作するためのボタン等が配置された操作部２２等が設けられている。
【００２５】
以上が、浴室１の概略的な構成であり、以下に、浴室１をサウナ空間として利用可能とするサウナ装置５０について詳細を説明する。
【００２６】
サウナ装置５０は、浴室１の内側の側壁下方部（例えば、浴室１の高さの２分の１程度下方部で具体的には洗い場カウンタの袖部）に設置される浴室ユニット２０からなり、更に、給水を所定温度に加熱した温水を浴槽６や給湯栓の他上記浴室ユニット２０に供給可能な給湯器３０、上記浴室ユニット２０や給湯器３０の作動状態を制御する制御装置４０等を備える。
【００２７】
サウナ装置５０の浴室ユニット２０には、浴室１に温水のミストである温ミストを吹出すミスト手段Ｍ１（サウナ手段の一例）として、給湯器３０から供給された温水を浴室１に向けてミスト状の温ミストとして吹出すミストノズル１０が設けられている。
【００２８】
更に、給湯器３０が、ミストノズル１０に対して所定温度に加熱された温水を供給可能に構成されている。そして、給湯器３０によりミストノズル１０に供給される温水の温度を調整することで、ミストノズル１０から吹出されるミストの温度を任意に設定することができる。
【００２９】
ミストノズル１０は、ミストを適切に使用者に向けて吹出すために、温ミストの吹出し方向を変更可能に構成されている。
即ち、図２（ａ）に示すように、浴室ユニット２０には、複数（例えば３個）のミストノズル１０を垂直に配置した垂直ミストノズル部材２６が両脇に配置され、更に、複数（例えば３個）のミストノズル１０を水平に配置した水平ミストノズル部材２７が下方に配置されている。
そして、垂直ミストノズル部材２６は、垂直方向を軸としてモータ（図示せず）により左右に揺動可能に構成され、一方、水平ミストノズル部材２７は、水平方向を軸としてモータ（図示せず）により上下に揺動可能に構成されている。
そして、これら垂直ミストノズル部材２６及び水平ミストノズル部材２７を揺動されるモータは制御装置４０により制御されることから、制御装置４０は、垂直ミストノズル部材２６及び水平ミストノズル部材２７の揺動方向、即ち、夫々のミストノズル１０による温ミストの吹出方向を任意に調整することができる。
【００３０】
更に、このミストノズル１０からなるミスト手段Ｍ１は、給湯器３０から供給される温水の量を調整可能な調整弁１１を備え、制御装置４０は、この調整弁１１の開度を調整することにより、温ミストの吹出量を任意に調整することができる。
【００３１】
更に、サウナ装置５０は、浴室１の天井部に、浴室１に温風を吹出す送風手段Ｗ１（サウナ手段の一例）として、温風を吹出す吹出口１２と浴室１の空気を吸込む吸込口１３と、吸込口１３から吸込んだ空気を吹出口１２より吹出すためのファン１６と、吸込口１３から吹出口１２に送られる空気を給湯器３０との間で循環する温水との熱交換により加熱する熱交換器１７とが設けられている。
【００３２】
また、制御装置４０は、サウナ手段としてのミスト手段Ｍ１を作動させて使用者６０の発汗を促すサウナ運転を実行することができ、そのサウナ運転について詳細な説明を加える。
【００３３】
（サウナ運転）
制御装置４０は、サウナ運転において、給湯器３０により４０℃〜５０℃程度に加熱された温水をミスト手段Ｍ１により浴室１に吹出させるように構成されている。
【００３４】
更には、制御装置４０は、サウナ運転において、送風手段Ｗ１により４０℃〜５０℃程度の温風を浴室１に吹出させるように構成されている。
【００３５】
そして、上記のように制御装置４０によりサウナ運転を行うと、浴室１では、吹出された比較的高温の温ミストが蒸発し、更に、吹出された比較的高温の温風により、浴室１が高温多湿なサウナ空間となり、その浴室１に居る使用者６０は上記比較的高温の温ミストを浴びて、良好な発汗作用を得ることができ、美容と健康の増進を図ることができる。
【００３６】
尚、制御装置４０は、上記サウナ運転を、浴室１に居る使用者６０により浴室ユニット２０の操作部２２に設けられた「運転」ボタンが押されたときに開始するように構成することができる。更に、制御装置４０は、サウナ運転を行った経過時間が予め設定された設定時間に達した時点、又は、操作部２２に設けられた「停止」ボタンが押されたときに、サウナ運転を終了するように構成することができる。
【００３７】
更に、制御装置４０は、このようなサウナ運転を実行している際に、ミストノズル１０による温ミストの吹出方向や吹出量を、サウナ運転の状態として調整可能に構成されている。
【００３８】
上記のように構成されたサウナ装置５０は、更に、表示部２１が、使用者６０が認識可能な状態で、使用者６０に課する課題を出力可能な出力部として構成され、上記サウナ運転の実行に連動して、使用者６０に対して、出力部としての表示部２１により、所定の課題を出力する課題処理を実行するように構成されており、この課題処理について、詳細な説明を加える。
【００３９】
（課題処理）
制御装置４０は、図２（ａ）に示すように、上記サウナ運転の実行に伴って、浴室ユニット２０の表示部２１に、使用者６０に課する課題として、暗算等の使用者６０に回答を要求する設問を出力する課題処理を実行する。
更に、制御装置４０は、サウナ運転の実行開始に連動させて、課題処理の実行を開始し、サウナ運転の実行終了に連動させて、課題処理の実行を終了する。
詳しくは、制御装置４０は、図４に示すように、例えば１０分程度のサウナ運転を実行する時間の間、例えば２０問の設問を順次出力する課題処理を、間に１分程度の休憩を挟んで、例えば３回実行するように構成されている。
【００４０】
かかるサウナ運転の実行時間は、使用者６０が予め操作部２２の設定ボタンなどを操作して設定しておくことができる。また、このサウナ運転の実行時間を、使用者６０が入力する目標消費カロリーから計算して設定するように構成しても構わない。
また、制御装置４０は、サウナ運転の実行時間に連動して課題処理が行われるように、設定されたサウナ運転の実行時間に応じて、課題処理において出力する設問数を決定するように構成することもできる。
【００４１】
更に、制御装置４０は、課題処理における設問を出力するタイミングに応じて、ミストノズル１０による温ミストの吹出方向や吹出量をサウナ運転の状態を変化させるように構成されている。
即ち、制御装置４０は、表示部２１に設問を出力する際に、温ミストの吹出量を低下させたり、温ミストの吹出方向を表示部２１から離間する方向に変化させるなどして、その表示部２１に出力された設問の視認が容易となるようにすることができる。
このように設問を出力するタイミングに応じて温ミストの吹出方向や吹出量を変化させることで、使用者はその変化により、設問が出力されるタイミングや、その設問に対して回答すべき制限時間等を、体で認識することができる。
【００４２】
更に、浴室ユニット２０の操作部２２は、使用者６０が表示部２１に表示された設問に対する回答を入力可能な入力部として構成されており、例えば、上記設問が暗算問題等のように回答を数字で入力する必要がある場合には、数字を入力するためのテン・キーが設けられる。
【００４３】
そして、制御装置４０は、課題処理において、入力部としての操作部２２に入力された回答が正解か不正解かを判定し、その課題処理における正解か不正解かの判定結果に応じて、ミストノズル１０による温ミストの吹出方向や吹出量をサウナ運転の状態を変化させるように構成されている。
【００４４】
図３のフロー図に沿って説明すると、制御装置４０は、先ず、後述する変数である無回答継続回数Ｎ，正解数Ａ，不正解数Ｂを全て０にリセットした状態で課題処理の実行を開始し、その課題処理において、表示部２１に暗算問題などの設問を出力し（ステップ＃１１）、１つの設問に対して設定された制限時間が経過するまで（ステップ＃１５）、操作部２２に回答が入力されたか否かを判定する（ステップ＃１２）。
そして、操作部２２に回答が入力された場合には、その入力された回答と予め準備された正しい答えとを比較し、その入力された回答が正解か不正解かを判定する（ステップ＃１４）。
【００４５】
次に、入力された回答が正解である場合には、正解数Ａに１を追加する形態で正解数Ａをカウントした後に（ステップ＃１８）、後述する正解処理を実行し（ステップ＃１９）、一方、入力された回答が不正解である場合には、不正解数Ｂに１を追加する形態で不正解数Ｂをカウントした後に（ステップ＃２０）、後述する正解処理を実行する（ステップ＃２１）。
【００４６】
上記図３のステップ＃１９における正解処理を図５のフロー図に沿って説明すると、制御装置４０は、上記正解処理において、先ず、図２（ｂ）も参照して、表示部２１に「正解」と表示する（ステップ＃１９−１）。次に、例えば、浴室ユニット２０の両脇に配置された垂直ミストノズル部材２６を固定した状態で、下方に配置された水平ミストノズル部材２７を上下に揺動させて、サウナ運転の状態としての温ミストの吹出方向を上下に変化させる（ステップ＃１９−２）。
そして、この正解処理によって、使用者６０は、その温ミストの吹出方向の上下方向における変化により、自分の回答が正解であったことを体で認識することができる。
【００４７】
また、この正解処理において、上記のような温ミストの吹出方向の変化と組み合わせて又はそれに代えて、調整弁１１の開度増加により温ミストの吹出量を増加させるなどして、サウナ運転の状態としての温ミストの吹出量を変化させても構わない。
【００４８】
上記図３のステップ＃２１における不正解処理を図６のフロー図に沿って説明すると、制御装置４０は、上記不正解処理において、先ず、図２（ｃ）も参照して、表示部２１に「不正解」と表示すると共に、予め準備した正しい答えを表示する（ステップ＃２１−１）。次に、例えば、浴室ユニット２０の下方に配置された水平ミストノズル部材２７を固定した状態で、両脇に配置された垂直ミストノズル部材２６を左右に揺動させて、サウナ運転の状態としての温ミストの吹出方向を左右に変化させる（ステップ＃２１−２）。
そして、この不正解処理によって、使用者６０は、その温ミストの吹出方向の左右方向における変化により、自分の回答が不正解であったことを体で認識することができる。
【００４９】
また、この不正解処理において、上記のような温ミストの吹出方向の変化と組み合わせて又はそれに代えて、調整弁１１の開度増加により温ミストの吹出量を減少させるなどして、サウナ運転の状態としての温ミストの吹出量を変化させても構わない。
【００５０】
更に、図３の課題処理のフロー図において、上記ステップ＃１９の正解処理又は上記ステップ＃２１の不正解処理を実行した後には、後述する正解率処理を実行する（ステップ＃２２）。
【００５１】
このステップ＃２２における正解率処理を図７のフロー図に沿って説明すると、制御装置４０は、正解数Ａを正解数Ａと不正解数Ｂとの和即ち設問数で割ることにより、使用者６０が入力した回答の正解率Ｃを算出する（ステップ＃２２−１）。そして、図８も参照して、例えば、正解率Ｃが高くなるほど温ミストの吹出量が増加する形態で、この正解率Ｃに応じて、調整弁１１の開度調整により、サウナ運転の状態としての温ミストの吹出量を変化させる（ステップ＃２２−２）。
そして、この正解率処理によって、使用者６０は、その温ミストの吹出量の変化により、自分が入力した回答の正解率の良否を体で認識することができる。
また、この正解率Ｃを、表示部２１に表示するように構成しても構わない。
【００５２】
更に、制御装置４０は、上記のような課題処理において、表示部２１に設問を出力してから操作部２２に回答が入力されるまでの回答時間を計測し、図８に示すように、上記正解率と同様に、その回答時間が短くなるほど温ミストの吹出量が増加する形態で、この回答時間に応じて、調整弁１１の開度調整により、サウナ運転の状態としての温ミストの吹出量を変化させるように構成することもできる。
また、夫々の設問における回答時間やそれらの平均値を、表示部２１に表示するように構成しても構わない。
【００５３】
更に、図３の課題処理のフロー図において、表示部２１に設問を表示してから操作部２２に回答が入力されない状態で制限時間が経過したか否かを判定し（ステップ＃１５）、１０秒等の所定の制限時間が経過した場合には、使用者６０が回答しなかったとして、無回答継続回数Ｎに１を追加する形態で無回答継続回数Ｎをカウントし（ステップ＃１６）、このカウントした無回答継続回数Ｎを用いて後述する継続無回答処理を実行する（ステップ＃１７）。
また、この無回答継続回数Ｎは、ステップ＃１２で回答が入力されたと判定した場合には、０にリセットされることから、使用者６０が所定の制限時間が経過されるまでに回答を入力しなかった回数としてカウントされることになる。
【００５４】
このステップ＃１７における継続無回答処理を図９のフロー図に沿って説明すると、制御装置４０は、上記のようにカウントした無回答継続回数Ｎが例えば５回等の閾値ｎ以下よりも小さいか否かを判定し（ステップ＃１７−１）、無回答継続回数Ｎが閾値ｎよりも小さい場合には、本継続無回答処理を終了する。
一方、無回答継続回数Ｎが閾値ｎ以上である場合には、課題処理を継続するか否かを確認するための確認情報を表示部２１に表示したり音声案内により出力する（ステップ＃１７−２）。この確認情報は、継続する場合には操作部２２の所定のボタン（例えば「１」）を押し、継続しない場合には操作部２２の所定のボタン（例えば「０」）を押すことを使用者６０に促すような情報として出力される。
それを認識した使用者６０は、所定のボタンを押すことで、それにしたがって課題処理を継続するかしないかが決定されるのであるが、そのときに使用者６０が操作部２２を操作することにより確認信号が入力されるように構成されており、制御訴追４０は、その確認信号が入力されたか否かを判定する（ステップ＃１７−３）。
【００５５】
そして、確認信号が入力された場合には、使用者６０の正常状態であるとして、本継続無回答処理を終了するが、確認信号が入力されなかった場合には、使用者６０の意識がないなどの異常状態である可能性があるとして、使用者６０や第三者が認識可能な状態で、警報を出力する（ステップ＃１７−４）。
このように、継続無回答処理を実行することで、使用者６０が異常状態である可能性があることを外部等に通報することができる。
【００５６】
〔別実施の形態〕
（１）上記実施の形態では、浴室ユニット２０を浴室１の側壁下方に設置したが、別に、浴室ユニット２０の一部又は全部を浴室１の側壁上方や天井等の任意位置に設置しても構わない。
【００５７】
（２）上記実施の形態では、課題処理において、設問が出力されるタイミング、使用者６０が操作部２２に入力した回答の正解か不正解かの判定結果、及び、使用者６０が入力した回答の正解率のように、複数の条件に応じて、サウナ運転の状態としての温ミストの吹出量や吹出方向を変化させたが、上記複数の条件のうちの一部又は全部に応じてサウナ運転の状態を変化させることを省略しても構わない。
【００５８】
（３）上記実施の形態では、サウナ運転の状態として、温ミストの吹出量や吹出方向を変化させるように構成したが、別に、サウナ手段として温風を吹出す送風手段Ｗ１を備え、サウナ運転において送風手段Ｗ１により浴室１に温風を吹出す場合には、その温風の吹出量や吹出方向を、上記サウナ運転の状態として変化させるように構成しても構わない。
【００５９】
上記温風の吹出量や吹出方向の変更方法について以下に説明を加える。
送風手段Ｗ１による温風の吹出量の変更については、図１を参照して、制御装置４０により、ファン１６の送風量を調整することにより変化させることができる。
一方、送風手段Ｗ１による温風の吹出方向の変更については、制御装置４０により、吹出口１２に設けたルーバー１２ａを揺動可能なモータ（図示せず）を制御して、ルーバー１２ａの姿勢を調整することにより、変化させることができる。
【００６０】
（４）上記実施の形態では、サウナ手段としてミスト手段Ｍ１と送風手段Ｗ１との両方を設けたが、別に、一方を省略しても構わない。
【００６１】
（５）上記実施の形態では、課題処理において、表示部２１等の出力部に、使用者６０に課する課題として、使用者６０に回答を要求する暗算問題等の設問を出力するように構成したが、この課題としては別のものであっても構わない。
例えば、課題処理において、課題として、使用者に対して複数の選択肢から回答を選ばせる形態の設問や、英文や和文等を音読させる文章などを出力するように構成することができ、また、出力部として表示部２１と共にスピーカを設け、課題として、使用者が歌を歌うための音楽と歌詞とを出力して、サウナ装置５０を所謂カラオケとして利用することもできる。
また、上記実施の形態では、使用者が回答を入力するための入力部を、テン・キーなどを配置した操作部２２としたが、別に、入力部として、図２に示すように、マイクロホン２５を備え、使用者６０が回答を言うことで、その回答を音声認識するように構成しても構わない。
【産業上の利用可能性】
【００６２】
本発明は、浴室の温度又は湿度を上昇させるサウナ手段を作動させて使用者の発汗を促すサウナ運転を実行する場合において、使用者に退屈な思いをさせることのないサウナ装置として適用可能である。
【図面の簡単な説明】
【００６３】
【図１】サウナ装置を備えた浴室の状態を示す図
【図２】浴室ユニットの概略構成及び状態を示す図
【図３】課題処理を示すフロー図
【図４】サウナ運転と課題処理とが連動する状態を説明する図
【図５】正解処理を示すフロー図
【図６】不正解処理を示すフロー図
【図７】正解率処理を示すフロー図
【図８】正解率や回答時間による温ミストの吹出量の変化状態を示す図
【図９】継続無回答処理を示すフロー図
【符号の説明】
【００６４】
１：浴室
２１：表示部（出力部）
２２：操作部（入力部）
４０：制御装置（制御手段）
５０：サウナ装置
６０：使用者
Ｍ１：ミスト手段
Ｗ１：送風手段
【図１】
2006158628.tif 000003
【図２】
2006158628.tif 000004
【図３】
2006158628.tif 000005
【図４】
2006158628.tif 000006
【図５】
2006158628.tif 000007
【図６】
2006158628.tif 000008
【図７】
2006158628.tif 000009
【図８】
2006158628.tif 000010
【図９】
2006158628.tif 000011